(57)【特許請求の範囲】
【請求項１】
ＴＶ受像器，ＶＴＲ，ＤＶＤ，カメラ等の映像送出装置からリアルタイムで出力される映像信号を入力する入力部と、この入力部からリアルタイムで入力される前記映像信号をメモリに書き込み、この書き込んだ画像データを、９０度（２７０度を含む）回転したアドレスで読み出すことによって、この画像を９０度回転させ、リアルタイムで縦長ディスプレイに送出表示する９０度画像回転処理部とから成り、横長ディスプレイを９０度回転させて縦長に設置した縦長ディスプレイに、前記９０度回転させた映像送出装置の映像をリアルタイムで前記縦長ディスプレイに送出表示し得るように構成した表示装置であって、前記９０度画像回転処理部によって既に９０度回転処理された回転画像データを、常に一旦画像メモリに書き込みこの画像メモリをリアルタイムで更新しつつこの画像メモリから読み出した回転画像データを前記縦長ディスプレイに出力してこの縦長ディスプレイにリアルタイムに送出表示できるように構成すると共に、前記画像メモリの領域を複数に分割してこの分割した各領域に書き込んだ回転画像データを、同じく複数に分割した前記縦長ディスプレイの対応する画像表示領域に表示し得るように構成した画像データ出力部と、前記画像メモリの各領域を、回転画像データをリアルタイムで更新する設定から更新を停止する設定に変更若しくは回転画像データの更新を停止する設定からリアルタイムで更新する設定に変更し得るように構成した更新領域切り替え部とを備え、この更新領域切り替え部は、映像送出装置から出力される映像信号の動画・静止画の状況に応じて若しくはこの映像信号に含まれる信号により、自動的に画像メモリの分割した領域における前記回転画像データの更新を行うか否かの設定を切り替えるように設定したことを特徴とする表示装置。
【請求項２】
ＴＶ受像器，ＶＴＲ，ＤＶＤ，カメラ等の映像送出装置からリアルタイムで出力される映像信号を入力する入力部と、この入力部からリアルタイムで入力される飛び越し走査方式の映像信号若しくはこの飛び越し走査方式の映像信号による画像を９０度（２７０度を含む）回転させた映像信号を、順次走査方式の映像信号に変換する走査方式変換部と、前記入力部からリアルタイムで入力される映像信号若しくは走査方式を変換され順次走査方式となった映像信号をメモリに書き込み、この書き込んだ画像データを、９０度（２７０度を含む）回転したアドレスで読み出すことによって、この画像を９０度回転させ、リアルタイムで縦長ディスプレイに送出表示する９０度画像回転処理部とから成り、横長ディスプレイを９０度回転させて縦長に設置した縦長ディスプレイに、前記９０度回転させた映像送出装置の映像をリアルタイムで前記縦長ディスプレイに送出表示し得るように構成した表示装置であって、前記９０度画像回転処理部によって既に９０度回転処理された回転画像データを、常に一旦画像メモリに書き込みこの画像メモリをリアルタイムで更新しつつこの画像メモリから読み出した回転画像データを前記縦長ディスプレイに出力してこの縦長ディスプレイにリアルタイムに送出表示できるように構成すると共に、前記画像メモリの領域を複数に分割してこの分割した各領域に書き込んだ回転画像データを、同じく複数に分割した前記縦長ディスプレイの対応する画像表示領域に表示し得るように構成した画像データ出力部と、前記画像メモリの各領域を、回転画像データをリアルタイムで更新する設定から更新を停止する設定に変更若しくは回転画像データの更新を停止する設定からリアルタイムで更新する設定に変更し得るように構成した更新領域切り替え部とを備え、この更新領域切り替え部は、映像送出装置から出力される映像信号の動画・静止画の状況に応じて若しくはこの映像信号に含まれる信号により、自動的に画像メモリの分割した領域における前記回転画像データの更新を行うか否かの設定を切り替えるように設定したことを特徴とする表示装置。
【請求項３】
前記画像メモリの回転画像データをリアルタイムで更新する設定とした一の領域に対応する前記縦長ディスプレイの画像表示領域には、映像送出装置からリアルタイムで入力される映像信号に応じてリアルタイムに更新される回転画像データを動画表示可能な通常映像として表示し、前記回転画像データの更新を停止する設定とした所定の他の領域に対応する前記縦長ディスプレイの画像表示領域には、リアルタイムで更新されていた回転画像データの最後に更新された回転画像データを固定映像として表示するように構成したことを特徴とする請求項１，２のいずれか１項に記載の表示装置。
【請求項４】
前記縦長ディスプレイの画像表示可能範囲全体を、前記分割した複数の画像表示領域で略占有できるように構成したことを特徴とする請求項１〜３のいずれか１項に記載の表示装置。
【請求項５】
前記縦長ディスプレイの画像表示可能範囲全体を、上下方向に並設した画像表示領域に分割したことを特徴とする請求項１〜４のいずれか１項に記載の表示装置。
【請求項６】
前記入力部に入力される前記映像送出装置からの飛び越し走査方式の映像信号を量子化する量子化部を備え、この量子化された映像信号を順次走査方式に変換若しくは９０度回転させた後順次走査方式に変換するように前記走査方式変換部を構成し、前記９０度回転処理部からの映像信号若しくは前記走査方式変換部からの映像信号を前記画像データ出力部を介してアナログ信号化するアナログ信号化部を備え、この９０度回転させた順次走査方式の映像信号が前記縦長ディスプレイに送出表示されるように構成したことを特徴とする請求項２〜５のいずれか１項に記載の表示装置。
【請求項７】
ＴＶ受像器，ＶＴＲ，ＤＶＤ，カメラ等の映像送出装置からリアルタイムで出力される映像信号による画像を９０度（２７０度を含む）回転させた順次走査方式の映像信号を出力する表示装置を用い、この表示装置からリアルタイムで出力される９０度回転した映像信号を、プラズマディスプレイや液晶ディスプレイなどの壁掛け可能な薄型の横長カラーディスプレイに、リアルタイムで送出表示して、映像装置からの映像がリアルタイムで表示される薄型縦長カラーディスプレイによってポスター広告を行うことを特徴とする表示装置を用いた広告方法。
【請求項８】
前記表示装置を前記請求項１〜６のいずれか１項に記載の表示装置とし、前記映像送出装置からの映像がリアルタイムで表示される前記薄型縦長カラーディスプレイによってポスター広告を行うことを特徴とする請求項７に記載の表示装置を用いた広告方法。
【発明の詳細な説明】
【０００１】
【発明の属する技術分野】
本発明は、横長のディスプレイを縦に向きを変えて縦長ディスプレイとし、この縦長ディスプレイにリアルタイムで映像送出装置からの映像を表示する表示装置並びに表示装置を用いた広告方法に関するものである。
【０００２】
【従来の技術及び発明が解決しようとする課題】
ＴＶ受像器，ＶＴＲ，ＤＶＤ，カメラ等の映像装置の技術革新は目覚ましく、またこれに伴うディスプレイの技術革新も目覚ましく日々進歩を遂げている。
【０００３】
特に近年プラズマディスプレイの開発・実用化によって、大型にして薄型なディスプレイに鮮明な映像を映し出すことが可能となり、まだまだ高価ではあるものの、画像表示技術は飛躍的進歩を遂げるに至っている。
【０００４】
このようなプラズマディスプレイを例えば壁に掛けたり、埋め込んだりして、スペースをとることなく大画面の迫力ある映像を鮮やかに映し出すことは可能となったが、広告手段としてはまだ今一歩その成果を挙げるに至っていない。
【０００５】
即ち、文字放送や文字データとの合成により映像画面に文字を重ねたり、映像画面の脇に文字テロップを表示したりして、鮮明に動画コマーシャルを映し出しながら広告文を表示させることは既に試みられているが、広告効果はなかなか挙がっていない。
【０００６】
従って、家庭のみならず、店舗や駅・空港・街角など公衆の集まるところに例え大型のプラズマディスプレイを設置して鮮やかな広告画像を映し出しても、美しい大型画面故にこの画像を一時注目させることはできても、広告内容に興味をひかせる程まで注目させるには至っていない。
【０００７】
このような現状に着目し、検討・研究を重ねた結果、横長ディスプレイに表示していることがその大きな原因であることを出願人は見出したのである。
【０００８】
即ち、これまでの画像表示技術は、映画のような横長画面が人間の視野に近いとし、できる限り写真のようにきれいな鮮明画像を実現すると共にワイドな横長画像の表示手法に力を注いできている結果、今日のほとんどの最新ディスプレイは横長ディスプレイとなっている。
【０００９】
従って、高価ではあるが、大型・薄型であって鮮明に迫力ある画像を提供できるプラズマディスプレイも、横長ディスプレイがほとんど全てであると言っても過言ではない。
【００１０】
しかし、この横長ディスプレイを用いて広告しても、確かにきれいではあっても広告効果は挙がらない。
【００１１】
つまり、見る者にとってはこれまでの通常観念（潜在意識）からよほど興味深い広告でない限り、広告画像が横長ディスプレイに映し出されていれば、それは単なるテレビ放送か、ＶＴＲが流されているという意識しか生じず、注目することはなく、仮に特別なコマーシャル映像が映し出されていても、単なるテレビコマーシャルが流れているという意識に留まり、テレビ放送（テレビコマーシャル）以上の広告効果は生じないのである。
【００１２】
そこで、最新画像表示技術の粋たるプラズマディスプレイを用いてもこのような原因で広告効果が期待できないという問題点を見出した出願人は、横長ディスプレイをあえて向きを変えて縦長にし、この向き変えによる縦長ディスプレイに広告を映し出すことを考えた。
【００１３】
この縦長ディスプレイに広告を映し出す広告手法は予想以上に絶大な広告効果があることがわかり、出願人自らその効果に驚いているのが現状である。
【００１４】
即ち、いわゆるポスター広告効果が発揮され、ポスター広告の広告能力がいかに絶大かが改めて認識されることになったのである。
【００１５】
現在の広告ポスターのほとんどは縦長であり、その潜在意識のために縦長の広告画像は、一目で目に飛び込み、広告だと認識でき、注目されるのである。
【００１６】
従って、縦長に広告を表示すると、それが動画であっても、単なるテレビ放送やテレビコマーシャルではなく、広告映像が映し出されている広告ポスターとして目に飛び込み、脳に焼き付けられる程注目させられ、画像の美しさと動画のアピールとによって、広告情報が瞬時に伝わるのである。
【００１７】
このポスター広告を薄型プラズマディスプレイで行えれば、その薄型故の機動性と鮮明な美しさとによって更に広告効果は絶大となるのである。
【００１８】
しかし、既にこのポスター広告効果に着目し、横長ディスプレイを縦にした縦長ディスプレイにパソコンで生成した編集広告映像を映し出したり、また動画も合成して映し出すために、ＤＶＤやＶＴＲの映像信号をパソコンに一旦取り込み、パソコンソフトによって画像を９０度回転させて、たとえ横長を縦にした縦長ディスプレイに表示しても画像もこの９０度回転処理によって横長ディスプレイに映し出すのと同じように正しい向きに表示できる広告手段も既に実用化されつつある。
【００１９】
しかしながら、このパソコンに一旦取り込んでパソコンによって９０度画像を回転して表示する方式では、リアルタイムに様々な映像を縦長ディスプレイに表示し、適宜映像を選択・切り替え表示することはできない。
【００２０】
つまり、パソコンによる９０度回転変換ソフトを用いて回転加工し、これを編集して縦長ディスプレイに表示する方式は、結果として動画を横長ディスプレイを縦にした縦長ディスプレイに、ポスター広告のように表示できることにはなるが、常に事前に取り込み加工しなければならず、時間と手間を要する（しかも、時間や手間を要するだけでなく、このパソコンによる加工によってせっかくの画像の鮮明度は著しく劣化してしまう。）。
【００２１】
従って、従来、横長ディスプレイの向きを変えて縦長のディスプレイとし、この縦長ディスプレイに映像を映し出すにはソフトによる事前加工を必要とするために、リアルタイムで映像をポスター広告表示できないのである。
【００２２】
即ち、リアルタイムで映し出すことができないため、この映像を別の映像に切り替える、例えば、ＤＶＤプレイヤーやＶＴＲプレイヤーの画像を再生表示する場合に、ＤＶＤソフトやビデオテープを取り替えるだけで映像を他の映像に変えたり、ＴＶ放送に変えたり、放送チャンネルを変えたり、あるいは現在のある場所のカメラ映像に切り替えたりすることは不可能であり、このような切り替えをその場で自由に行え、その映像をリアルタイムで表示し続けることはできないのである。
【００２３】
一方、そもそも縦長の映像ソースを多数入手すれば良いことになるが、このような映像はほとんど現存していなく、また、撮影カメラを縦にして映像を作ることも可能であるが、これもコストがかかり、容易ではない。
【００２４】
これに対し、ほとんどの放送映像も、ＤＶＤやＶＴＲの既存ソフトも横長ディスプレイ用の映像である。
【００２５】
本発明は、上述のような現状に鑑み、既存の横長ディスプレイ、例えば、大型・薄型にして鮮明に映像を映し出す横長のプラズマディスプレイを縦に向きを変えて設置することで、縦長ディスプレイを容易に実現でき、この簡易な手法で安手した縦長ディスプレイに映像装置からの映像信号をリアルタイムで９０度回転処理して出力してこの９０度回転処理した画像データを常に一旦画像メモリに書き込みこの画像メモリをリアルタイムで更新しつつこれを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告媒体を容易に実現できる。
【００２６】
しかも、前記画像メモリの領域は前記縦長ディスプレイの分割された画像表示領域に対応して分割され、この各領域において前記書き込んだ回転画像データをリアルタイムで更新する設定若しくは更新を停止する設定に変更し得るように構成した表示領域切り替え部により、例えば前記縦長ディスプレイの一の領域においてはリアルタイムで更新される動画表示可能な通常映像を表示すると共に、所定の他の領域即ち余白スペースにおいては前記リアルタイムで更新される映像の一場面を固定映像として表示でき、従来パソコンにより複数の映像ソースを用いて埋めていた余白スペースをパソコンの必要なく一つの映像ソースで有効に利用することができるから、極めて扱いやすくコスト安にポスター広告による絶大な広告効果を期待できることとなる極めて画期的で実用的な表示装置並びに表示装置を用いた広告方法を提供するものである。
【００２７】
【課題を解決するための手段】
添付図面を参照して本発明の要旨を説明する。
【００２８】
ＴＶ受像器，ＶＴＲ，ＤＶＤ，カメラ等の映像送出装置１からリアルタイムで出力される映像信号を入力する入力部２と、この入力部２からリアルタイムで入力される前記映像信号をメモリに書き込み、この書き込んだ画像データを、９０度（２７０度を含む）回転したアドレスで読み出すことによって、この画像を９０度回転させ、リアルタイムで縦長ディスプレイに送出表示する９０度画像回転処理部５とから成り、横長ディスプレイを９０度回転させて縦長に設置した縦長ディスプレイ６に、前記９０度回転させた映像送出装置１の映像をリアルタイムで前記縦長ディスプレイ６に送出表示し得るように構成した表示装置であって、前記９０度画像回転処理部５によって既に９０度回転処理された回転画像データを、常に一旦画像メモリに書き込みこの画像メモリをリアルタイムで更新しつつこの画像メモリから読み出した回転画像データを前記縦長ディスプレイ６に出力してこの縦長ディスプレイ６にリアルタイムに送出表示できるように構成すると共に、前記画像メモリの領域を複数に分割してこの分割した各領域に書き込んだ回転画像データを、同じく複数に分割した前記縦長ディスプレイ６の対応する画像表示領域に表示し得るように構成した画像データ出力部４と、前記画像メモリの各領域を、回転画像データをリアルタイムで更新する設定から更新を停止する設定に変更若しくは回転画像データの更新を停止する設定からリアルタイムで更新する設定に変更し得るように構成した更新領域切り替え部７とを備え、この更新領域切り替え部７は、映像送出装置１から出力される映像信号の動画・静止画の状況に応じて若しくはこの映像信号に含まれる信号により、自動的に画像メモリの分割した領域における前記回転画像データの更新を行うか否かの設定を切り替えるように設定したことを特徴とする表示装置に係るものである。
【００２９】
また、ＴＶ受像器，ＶＴＲ，ＤＶＤ，カメラ等の映像送出装置１からリアルタイムで出力される映像信号を入力する入力部２と、この入力部２からリアルタイムで入力される飛び越し走査方式の映像信号若しくはこの映像信号による画像を９０度（２７０度を含む）回転させた映像信号を、順次走査方式の映像信号に変換する走査方式変換部３と、前記入力部２からリアルタイムで入力される映像信号若しくは走査方式を変換され順次走査方式となった映像信号をメモリに書き込み、この書き込んだ画像データを、９０度（２７０度を含む）回転したアドレスで読み出すことによって、この画像を９０度回転させ、リアルタイムで縦長ディスプレイに送出表示する９０度画像回転処理部５とから成り、横長ディスプレイを９０度回転させて縦長に設置した縦長ディスプレイ６に、前記９０度回転させた映像送出装置１の映像をリアルタイムで前記縦長ディスプレイ６に送出表示し得るように構成した表示装置であって、前記９０度画像回転処理部５によって既に９０度回転処理された回転画像データを、常に一旦画像メモリに書き込みこの画像メモリをリアルタイムで更新しつつこの画像メモリから読み出した回転画像データを前記縦長ディスプレイ６に出力してこの縦長ディスプレイ６にリアルタイムに送出表示できるように構成すると共に、前記画像メモリの領域を複数に分割してこの分割した各領域に書き込んだ回転画像データを、同じく複数に分割した前記縦長ディスプレイ６の対応する画像表示領域に表示し得るように構成した画像データ出力部４と、前記画像メモリの各領域を、回転画像データをリアルタイムで更新する設定から更新を停止する設定に変更若しくは回転画像データの更新を停止する設定からリアルタイムで更新する設定に変更し得るように構成した更新領域切り替え部７とを備え、この更新領域切り替え部７は、映像送出装置１から出力される映像信号の動画・静止画の状況に応じて若しくはこの映像信号に含まれる信号により、自動的に画像メモリの分割した領域における前記回転画像データの更新を行うか否かの設定を切り替えるように設定したことを特徴とする表示装置に係るものである。
【００３０】
また、前記画像メモリの回転画像データをリアルタイムで更新する設定とした一の領域に対応する前記縦長ディスプレイ６の画像表示領域には、映像送出装置１からリアルタイムで入力される映像信号に応じてリアルタイムに更新される回転画像データを動画表示可能な通常映像として表示し、前記回転画像データの更新を停止する設定とした所定の他の領域に対応する前記縦長ディスプレイ６の画像表示領域には、リアルタイムで更新されていた回転画像データの最後に更新された回転画像データを固定映像として表示するように構成したことを特徴とする請求項１，２のいずれか１項に記載の表示装置に係るものである。
【００３１】
また、前記縦長ディスプレイ６の画像表示可能範囲全体を、前記分割した複数の画像表示領域で略占有できるように構成したことを特徴とする請求項１〜３のいずれか１項に記載の表示装置に係るものである。
【００３２】
また、前記縦長ディスプレイ６の画像表示可能範囲全体を、上下方向に並設した画像表示領域に分割したことを特徴とする請求項１〜４のいずれか１項に記載の表示装置に係るものである。
【００３３】
また、前記入力部２に入力される前記映像送出装置１からの飛び越し走査方式の映像信号を量子化する量子化部８を備え、この量子化された映像信号を順次走査方式に変換若しくは９０度回転させた後順次走査方式に変換するように前記走査方式変換部３を構成し、前記９０度回転処理部５からの映像信号若しくは前記走査方式変換部３からの映像信号を前記画像データ出力部４を介してアナログ信号化するアナログ信号化部９を備え、この９０度回転させた順次走査方式の映像信号が前記縦長ディスプレイ６に送出表示されるように構成したことを特徴とする請求項２〜５のいずれか１項に記載の表示装置に係るものである。
【００３４】
また、ＴＶ受像器，ＶＴＲ，ＤＶＤ，カメラ等の映像送出装置１からリアルタイムで出力される映像信号による画像を９０度（２７０度を含む）回転させた順次走査方式の映像信号を出力する表示装置を用い、この表示装置からリアルタイムで出力される９０度回転した映像信号を、プラズマディスプレイや液晶ディスプレイなどの壁掛け可能な薄型の横長カラーディスプレイに、リアルタイムで送出表示して、映像装置からの映像がリアルタイムで表示される薄型縦長カラーディスプレイによってポスター広告を行うことを特徴とする表示装置を用いた広告方法に係るものである。
【００３５】
また、前記表示装置を前記請求項１〜６のいずれか１項に記載の表示装置とし、前記映像送出装置１からの映像がリアルタイムで表示される前記薄型縦長カラーディスプレイによってポスター広告を行うことを特徴とする請求項７に記載の表示装置を用いた広告方法に係るものである。
【００３６】
【発明の実施の形態】
好適と考える本発明の実施の形態（発明をどのように実施するか）を、図面に基づいてその作用効果を示して簡単に説明する。
【００３７】
本発明の表示装置に入力される映像信号は９０度回転され、この９０度回転した画像が回転画像データとして常に一旦画像メモリに書き込まれ、この画像メモリをリアルタイムで更新しつつ最新の回転画像データが横長ディスプレイを縦長に設置した縦長ディスプレイ６に送出表示される。
【００３８】
即ち、リアルタイムで映像送出装置１から出力される映像信号がこの表示装置によって９０度回転されて縦長ディスプレイ６にリアルタイムで送出表示されることとなる。
【００３９】
従って、例えば既存の横長ディスプレイを単に縦向きにして設置するだけで縦長ディスプレイ６とすることができ、しかも、このようにして向きを変えたディスプレイ６に対してパソコン等のソフトウェアに一旦映像ソースを取り込んで画像回転処理をして編集することなく、単に映像送出装置１から出力されるリアルタイムの飛び越し走査方式の映像信号を、ハード構成によって、例えば走査方式変換部３により順次走査方式に変換して９０度回転させ出力することで、リアルタイムに縦長ディスプレイ６に送出し正しい画面向きで表示できることになる。
【００４０】
このように、リアルタイムで表示できるため、自由に映像送出装置１の変更やチャンネル変更やＶＴＲやＤＶＤソフトの取り替え変更ができることになり、従って、どのような映像ソースにも簡単に切り替えでき、リアルタイムで様々な映像を横長ディスプレイを縦にした縦長ディスプレイ６に表示することができるようになる。
【００４１】
そのため、従来は例えば広告用動画をリアルタイムで縦長ディスプレイ６に映し出し、上部や下部の余白スペースにはパソコン等で作成した広告画像データや文字データを合成して映し出すことで、余白スペースのない縦長広告を実現していたが、本発明においては、このリアルタイムで送出表示される映像の上部や下部に生じる余白スペースに、例えばこの余白スペースに対応する前記画像メモリの領域を回転画像データをリアルタイムに更新する設定に変更すると共に、前記リアルタイムで送出表示される映像信号を表示していた領域を更新を停止する設定に変更することで、前記余白スペースだった部分には、リアルタイムに入力される前記映像信号が送出表示され、映像が表示されていた部分には、リアルタイムに入力される前記映像信号の最後に更新された一場面を固定映像として表示することができる。
【００４２】
即ち、上述のようにパソコン等を用いて作成した映像を別途入力する必要がないため、この映像を加工する手間やパソコンの接続，操作が必要なく、前記更新領域切り替え部７の切り替え操作だけで一つの映像ソースで極めて容易に前記余白スペースを映像によって埋めることができるから、極めて扱いやすくコスト安となる。
【００４３】
更に、単に前記縦長ディスプレイ６の一の画像表示領域と所定の他の画像表示領域とに同じ映像を映し出すのではなく、例えば一方には映像送出装置１からリアルタイムで入力される映像信号に応じてリアルタイムに更新される回転画像データを動画を表示できる通常映像（動画）として表示し、他方にはリアルタイムで更新されていた回転画像データの最後に更新された回転画像データを固定映像（静止画）として表示するように設定することで、一般的なＴＶＣＭにおいて用いられる社名や商品名等の文字テロップが表示される静止画と商品紹介やＰＲのための動画とが順次表示される映像において、本来ならば動画が始まることで流れてしまう文字テロップを余白スペースに保存（フリーズ）することができ、動画と共にディスプレイ６に表示しておくことができる極めて画期的な広告映像を構成することができる。
【００４４】
従って、例えば薄型のプラズマディスプレイを用い、これを縦にして設置することでパソコンを用いる必要なく極めて簡単に画期的な広告映像を表示できるポスター広告を実現でき、このポスター広告によって横長ディスプレイでは決して得ることができない極めて絶大な広告効果を得ることができることとなる。
【００４５】
また、表示領域切り替え部７を、前記回転画像データの更新を行うか否かの設定を、前記映像送出装置１から出力される映像信号の動画・静止画の状況に応じて若しくはこの映像信号に含まれる信号により、自動的に切り替えできるように構成したから、前記静止画と動画とを順次表示する映像の広告効果を一層際立たせ、より大きな広告効果を得ることができることとなる。
【００４６】
従って、本発明は、例えば、大型・薄型にして鮮明に映像を映し出す横長のプラズマディスプレイを縦に向きを変えて設置することで、縦長ディスプレイを容易に実現でき、この簡易な手法で安手した縦長ディスプレイに映像送出装置からの映像信号をリアルタイムで９０度回転処理して出力してこの９０度回転処理した画像データを常に一旦画像メモリに書き込みこの画像メモリをリアルタイムで更新しつつこれを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告媒体を容易に実現できる。
【００４７】
しかも、前記画像メモリの領域は前記縦長ディスプレイの分割された画像表示領域に対応して分割され、この各領域において前記書き込んだ回転画像データをリアルタイムで更新する設定若しくは更新を停止する設定に変更し得るように構成した表示領域切り替え部により、例えば前記縦長ディスプレイの一の領域においてはリアルタイムで更新される動画表示可能な通常映像を表示すると共に、所定の他の領域即ち余白スペースにおいては前記リアルタイムで更新される映像の一場面を固定映像として表示でき、従来パソコンにより複数の映像ソースを用いて埋めていた余白スペースをパソコンの必要なく一つの映像ソースで有効に利用することができるから、極めて扱いやすくコスト安にポスター広告による絶大な広告効果を期待できることとなる極めて画期的で実用的な表示装置並びに表示装置を用いた広告方法を提供できることとなる。
【００４８】
【実施例】
本発明の具体的な実施例について図面に基づいて説明する。
【００４９】
本発明は、ＴＶ放送やＶＴＲ，カメラ等の飛び越し走査方式の映像信号を順次走査方式に変換し、順次走査方式に変換した映像信号を９０度（２７０度）回転させ、別途にパソコン等で作成した文字情報等を入力する順次走査方式の映像信号の上に、前記回転した映像信号を合成し、出力するものであった基本発明である特願２００２−２１５７５１に記載の発明を更に改良したものである。
【００５０】
即ち、前記基本発明においては、横長ディスプレイの向きを縦に変えた縦長ディスプレイ６に、横長ディスプレイ用の映像信号を９０度回転させて入力することでこの映像の上部や下部に生じる余白スペースを埋めるために、上述のようにパソコン等により作成した映像を別途入力する必要があり、この映像を加工する手間やパソコンの接続，操作が煩わしいという欠点があった。
【００５１】
そこで、本実施例の表示装置は、ＴＶ放送やＶＴＲ，カメラ等の飛び越し走査方式の映像信号を順次走査方式に変換し、順次走査方式に変換した映像信号を９０度（２７０度）回転させ（９０度画像を回転させた後、順次走査方式に変換するようにしても良い）、この既に９０度回転処理された回転画像データを、常に一旦画像メモリに書き込みこの画像メモリをリアルタイムで更新しつつこの画像メモリから読み出した回転画像データを縦長ディスプレイ６に出力してこの縦長ディスプレイ６にリアルタイムに送出表示できるように構成すると共に、前記画像メモリの領域を複数に分割してこの分割した各領域に書き込んだ回転画像データを、同じく複数に分割した前記縦長ディスプレイ６の対応する画像表示領域に表示し得るように構成した画像データ出力部４と、前記画像メモリの各領域を、回転画像データをリアルタイムで更新する設定から更新を停止する設定に変更若しくは回転画像データの更新を停止する設定からリアルタイムで更新する設定に変更し得るように構成した更新領域切り替え部７とを備えることで、パソコンを必要とすることなく前記余白スペースに映像を表示できるようにし、前記基本発明の有する欠点を解決したものである。
【００５２】
この画像データ出力部４は、前記画像メモリにリアルタイムで書き込まれる回転画像データを各領域毎ではなく、まとめてリアルタイムに前記縦長ディスプレイ６に送出表示するように構成している。
【００５３】
即ち、前記画像データ出力部４は、前記画像メモリに書き込む回転画像データをリアルタイムで更新する設定とした一の領域に対応する前記縦長ディスプレイ６の画像表示領域には、映像送出装置１からリアルタイムで入力される映像信号に応じて逐次更新される回転画像データを動画表示可能な通常映像（動画）として表示し、前記回転画像データの更新を停止する設定とした所定の他の領域に対応する前記縦長ディスプレイ６の画像表示領域には、リアルタイムで更新されていた回転画像データの最後に更新された回転画像データを固定映像（静止画）として表示し得るように構成している。従って、複数に分割した各画像表示領域には動画若しくは静止画を夫々別々に表示することができるように構成している。
【００５４】
また、この画像メモリの領域を二つに分割することで、前記縦長ディスプレイ６の画像表示可能範囲全体を、上下方向に並設した略同面積の二つの画像表示領域に分割して映像を表示するように構成すると共に、この画像表示可能範囲全体を、この分割した二つの画像表示領域で略占有するように構成している（図１，２，４参照）。即ち、この縦長ディスプレイ６に表示される映像は通常の横長ディスプレイに表示される映像を縦に二つ並べたような画面構成となり、横長ディスプレイに表示される映像を略そのまま違和感なく表示できるだけでなく、前記縦長ディスプレイ６の画像表示可能範囲を余すことなく利用することができ、大画面のディスプレイをより一層有効に活用することができる。
【００５５】
尚、本実施例においては、前記縦長ディスプレイ６の画像表示領域を上下方向に二つ並設した構成としているが、三つや四つ若しくはそれ以上並設しても良く、この場合には複数の静止画を動画と共に前記縦長ディスプレイ６に表示することができるし、また、左右方向に複数並設した構成としても良い。
【００５６】
また、更新領域切り替え部７は、この更新領域切り替え部７により選択された一の領域に回転画像データがリアルタイムに書き込まれて更新され（更新を停止することもできる）、他の領域においては更新が停止されるように設定されている。
【００５７】
従って、本実施例は、入力される一つの映像ソース（リアルタイムのＮＴＳＣ映像信号）により、縦長ディスプレイ６の画像表示領域に動画と静止画とを表示して余白スペースなく広告映像を表示することができる。
【００５８】
また、本実施例においては、前記更新領域切り替え部７は自動的に画像メモリの一の領域と他の領域との回転画像データを更新するか否かの設定を変更するように構成している。従って、表示される映像に応じて適宜動画（及び静止画）が表示される位置が切り替わることになり、今までにない印象を視聴者に植え付けることでより注目させることができる極めて画期的な広告映像を構成することができる。
【００５９】
具体的には、図１に図示したように、回転画像データをリアルタイムで更新する設定とした例えば一の領域（エリアＡ）において過去の画像データと現在の画像データとを比較し、画像データに変化がない状態が所定時間連続した場合には更新を停止し、この所定時間連続して変化がない状態から画像データの変化を検知すると他の領域（エリアＢ）の設定をリアルタイムで更新する設定に変更し得るように構成した動画／静止画検知回路10により設定を変更するように設定している。即ち、通常はその次のシーンに移行することで流れてしまう文字テロップ等を、自動的に余白スペースに保存（フリーズ）しておくことができ、大画面を有効に利用できるだけでなく、一層文字テロップ等の静止画が動画と相俟って効果的にＰＲできる広告映像を構成できることになる。
【００６０】
尚、本実施例においては、更新領域切り替え部７を映像送出装置１から出力される映像信号の動画・静止画の状況に応じて自動的に切り替える設定としたが、図２に図示したように、前記映像送出装置１から出力される映像信号に、前記更新領域切り替え部７を作動させる制御信号を含ませることで、この制御信号が入力されると自動的に画像メモリの一の領域と他の領域との回転画像データを更新するか否かの設定を切り替えるように設定しても良く、この場合には映像を制作した側が最も効果的と思われる場面を意識的に動画と共に表示することができ、より広告効果を高めることができるし、また、手動で自由に更新領域切り替え部７を作動させることができるように設定しても良いし、タイマーによって所定時間毎（例えば１０秒毎）に切り替えを行う設定としても良い。
【００６１】
また、前記更新領域切り替え部７により更新する領域の切り替えを行う際、本実施例においては一の領域から他の領域に一回切り替えるように、即ち切り替えを行うことで動画若しくは静止画が表示される画像表示領域が上方若しくは下方に切り替わるように設定したが、切り替えを行う際に自動的に複数回切り替えを行うように設定しても良く、例えば、切り替えの際に二回（偶数回）切り替えるように設定した場合には、動画若しくは静止画が表示される縦長ディスプレイ６の画像表示領域が切り替わらずに、常に例えば上部においては動画を表示して下部においては静止画を表示することができ、縦長ディスプレイ６の近くで視聴する場合にも良好に視聴できる広告映像を構成することができるし、更に、短時間で多数回切り替えを行うように設定することで、残像現象により上下双方の表示領域に動画のような映像を映し出すこともできる。
【００６２】
また、前記リアルタイムで入力される飛び越し走査方式の映像信号は、前述のようにハードウェアで画像回転を行い、リアルタイム性を損なわない。
【００６３】
即ち、本実施例は、ポスターのような縦長の画面にするために９０度回転させて設置させた映像信号受像器（縦長ディスプレイ６）にＮＴＳＣテレビ映像を映出するために、ＮＴＳＣテレビ映像をリアルタイムに９０度回転させる表示装置であり、従来のようにソフトウェアを用いて画像を回転するのではなく、ハードウェアのみを使用し、リアルタイムに画像の回転を行うもので、例えば入力部２から入力された飛び越し走査方式のアナログ映像信号を、順次走査方式化回路で構成した走査方式変換部３で順次走査方式に変換し、その画像をメモリに書き込み、書き込んだ画像データを、９０度回転したアドレスで読み出すことによって、画像を回転させるように９０度画像回転処理部５を構成し、この順次走査方式の９０度回転させた映像信号を画像データ出力部４から縦長ディスプレイ６に出力させるように構成している。
【００６４】
更に具体的に本実施例の表示装置並びにこの表示装置を用いたポスター広告方法について説明する。
【００６５】
本実施例の表示装置では、ＴＶ受像器，ＶＴＲ，ＤＶＤ，カメラ等の映像送出装置１の出力端子と接続され、この映像送出装置１からリアルタイムで出力される飛び越し走査方式の映像信号を入力する入力部２と、この入力部２からリアルタイムで入力される前記飛び越し走査方式の映像信号を量子化するデコーダ回路から成る量子化部８と、この量子化した映像信号を順次走査方式の映像信号に変換する順次走査方式化回路から成る走査方式変換部３と、このリアルタイムで順次走査方式に変換された映像信号による画像を９０度（２７０度を含む）回転させる９０度画像回転処理部５と、既に９０度回転処理された回転画像データを、常に一旦画像メモリに書き込みこの画像メモリをリアルタイムで更新しつつこの画像メモリから読み出した回転画像データを前記縦長ディスプレイ６に出力してこの縦長ディスプレイ６にリアルタイムに送出表示できるように構成すると共に、前記画像メモリの領域を複数に分割してこの分割した各領域に書き込んだ回転画像データを、同じく複数に分割した前記縦長ディスプレイ６の対応する画像表示領域に表示し得るように構成した画像データ出力部４と、前記画像メモリの各領域を、回転画像データをリアルタイムで更新する設定から更新を停止する設定に変更若しくは回転画像データの更新を停止する設定からリアルタイムで更新する設定に変更し得るように構成した更新領域切り替え部７と、９０度回転させた映像信号をアナログ信号化するＤ／Ａコンバータから成るアナログ信号化部９とを設け、前記画像データ出力部４と横長の映像信号受像器（横長ディスプレイ）を９０度向きを変えて設置する縦長ディスプレイ６の入力端子とをアナログ信号化部９を介して接続し、リアルタイムの９０度回転させた映像を送出表示するように構成している。
【００６６】
即ち、本実施例では、リアルタイムのＮＴＳＣ映像信号を入力部２から取り入れ、ハードウェアのみで順次走査方式に変換し、９０度画像を回転し（９０度画像を回転させた後、順次走査方式に変換するように走査方式変換部３と９０度画像回転処理部５との配置を逆にしても良い。）、リアルタイムで縦長ディスプレイ６に送出表示するように構成している。
【００６７】
尚、飛び越し走査方式とは、一つの画像を５２５本の走査線で表示するが秒間６０コマで伝送すると伝送量が多くなってしまうので、２コマで一つの画像を表示する、つまり、最初の一コマ目は１〜５２５の奇数本目を走査し、次の一コマで２〜５２４の偶数本目を走査するため、残像現象により見た目には秒間６０コマの動画を送っているように見え、伝送量は半分で済むという方式である。
【００６８】
順次走査方式とは、飛び越し走査を行わず、順次走査で６０コマ全て伝送するため、伝送量は多いがちらつきが少なくて済むという方式である。
【００６９】
順次走査化回路は、入力された飛び越し走査方式の映像信号を、順次走査方式に変換するように構成した。
【００７０】
また、９０度画像回転処理部５は、入力された飛び越し走査方式のアナログ映像信号を量子化して順次走査方式化回路により順次走査方式に変換し、この順次走査方式に変換された飛び越し走査方式の映像信号を画像データとして保存するメモリと、画像データをメモリの指定のアドレスであるメモリ書き込みアドレスに書き込み、指定のアドレスであるメモリ読み出しアドレスから読み込むためのアドレス発生回路とから成り、メモリから読み込む際に画像データを９０度回転させ、この回転画像出力（回転画像データ）をリアルタイムに画像メモリに書き込み、この回転画像データを画像データ出力部４からＤ／Ａコンバータ（アナログ信号化部９）を介して縦長ディスプレイ６に表示できるように構成した。
【００７１】
アドレス発生回路は、書き込む際のメモリ書き込みアドレスと、読み込む際の９０度回転させた画像を置くメモリ読み出しアドレスを作成するように構成した。
【００７２】
また、本実施例では、このような表示装置からリアルタイムで出力される９０度回転した映像信号を、壁掛け可能な薄型の横長カラーディスプレイ（プラズマディスプレイを採用）を９０度回転させて縦長に設置する薄型縦長プラズマディスプレイに、リアルタイムで送出表示して、映像送出装置１からの映像がリアルタイムで表示される縦長プラズマディスプレイによってポスター広告を行うようにしている。
【００７３】
本実施例は、上述のように構成したから、ソフトウェアを用いておらず、ハードウェアのみで画像を回転させることができるため、オンエア映像やビデオテープ等の一般に流通している映像を加工せずに映像再生機にて再生した映像をリアルタイムに９０度回転することにより横長ディスプレイを縦にして縦長ディスプレイ６に表示可能にすると共に、９０度回転した映像の上部や下部に生じる余白スペースにもソフトウェアを用いることなく映像を表示可能にするものである。
【００７４】
従って、本実施例は、大型・薄型にして鮮明に映像を映し出す横長のプラズマディスプレイを縦に向きを変えて設置することで、縦長ディスプレイを容易に実現でき、この簡易な手法で安手した縦長ディスプレイに映像送出装置からの映像信号をリアルタイムで９０度回転処理して出力してこの９０度回転処理した画像データを常に一旦画像メモリに書き込みこの画像メモリをリアルタイムで更新しつつこれを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告媒体を容易に実現できる。
【００７５】
しかも、前記画像メモリの領域は前記縦長ディスプレイの分割された画像表示領域に対応して分割され、この各領域において前記書き込んだ回転画像データをリアルタイムで更新する設定若しくは更新を停止する設定に変更し得るように構成した表示領域切り替え部により、例えば前記縦長ディスプレイの一の領域においてはリアルタイムで更新される動画表示可能な通常映像を表示すると共に、所定の他の領域即ち余白スペースにおいては前記リアルタイムで更新される映像の内の一場面を固定映像として表示でき、従来パソコンにより複数の映像ソースを用いて埋めていた余白スペースをパソコンの必要なく一つの映像ソースで有効に利用することができるから、極めて扱いやすくコスト安にポスター広告による絶大な広告効果を期待できることとなる。
【００７６】
例えばその一例を説明すれば、社名や商品名が表示される文字テロップによる静止画と、商品紹介やＰＲのための動画とから成るリアルタイムで入力されるＴＶＣＭを、本実施例の表示装置により横長のプラズマディスプレイを採用してこれを縦にし立看板のように設置した縦長ディスプレイ６に表示してポスター広告を行う場合、例えば先ず図５に図示した文字がロールするようなコンテンツが送出されると、ロールする間はリアルタイムに動画として上部画像表示領域に表示され、このロールが停止して静止画の状態が所定時間（例えば１秒間）以上連続すると、この静止画を表示する縦長ディスプレイ６の上部画像表示領域に映像を送出表示する画像メモリの領域（エリアＡ）においては更新が停止され、この上部画像表示領域には静止画が表示される（図６参照）。
【００７７】
次に図７に図示した画像がフェードインしてくるようなコンテンツが送出されて動画を検知すると、前記静止画を表示している領域とは逆の下部画像表示領域に映像を送出表示する画像メモリの領域（エリアＢ）においては前記回転画像データがリアルタイムで更新されてこのエリアＢには動画が表示され、動きが止まって上述と同様に静止画の状態が連続するとこのエリアＢにおいて更新が停止されて下部画像表示領域においては静止画が表示されることになる（図８参照）。
【００７８】
更に図９に図示したような動画から成るコンテンツが送出されると同様に動画を検知して前記更新を停止したエリアＢとは逆のエリアＡにおいて前記回転画像データがリアルタイムで更新されることになり、上部画像表示領域には動画が表示されることになる（図10参照）。
【００７９】
即ち、従来無理であったオンエアのＴＶ映像を縦長ディスプレイ６に表示できるだけでなく、以上の動きを繰り返すことで、例えば文字テロップ等の静止画が表示される度に、この静止画を縦長ディスプレイ６の上部若しくは下部に保存（フリーズ）しながら、この静止画が表示される画像表示領域と逆の領域においては動画を表示できることになり、ＴＶＣＭにおいて文字テロップの効果が一層高まり、従来の横長ディスプレイでは表示できない極めて画期的で効果的なポスター広告映像を表示することができ、パソコンを必要とすることなく極めて扱いやすくコスト安に素晴らしいポスター広告が行える画期的な画像看板が実現できる。
【００８０】
尚、本実施例においては特に映像送出装置１からＮＴＳＣ映像信号を出力した場合について詳述したが、本実施例における前記映像送出装置１とは、ＴＶ受像器，ＤＶＤ，ＶＴＲ，カメラ等のリアルタイムに映像信号を出力し得る映像装置と、パソコン等の映像信号を一旦取り込んでこの取り込んだ映像を送出し得る送出装置とを含む概念である。従って、本実施例はＮＴＳＣ映像信号に限らず、インターネット（ブロードバンド）を通じて配信される映像も有線・無線を問わず前記縦長ディスプレイ６に同様の構成で表示できる。
【００８１】
また、このように、前記送出装置を介して映像を送出する場合、この送出装置内で走査方式を変換するように構成することで、前記走査方式変換部３の必要なく前記縦長ディスプレイ６に上述と同様にして映像を表示することができる。
【００８２】
また、本実施例は繰り返し述べたように、その広告効果から、広告手段として用いた場合に特に有用であるが、広告手段としての利用に限られたものではなく、掲示板のような広告効果を重要としない単なる情報表示手段として用いた場合にも、例えば紙を掲示するよりも前記大画面のディスプレイにより大きくより分かりやすい状態で表示することができるため極めて有用である。
【００８３】
【発明の効果】
本発明は上述のように構成したから、大型・薄型にして鮮明に映像を映し出す横長のプラズマディスプレイを縦に向きを変えて設置することで、縦長ディスプレイを容易に実現でき、この簡易な手法で安手した縦長ディスプレイに映像送出装置からの映像信号をリアルタイムで９０度回転処理して出力してこの９０度回転処理した画像データを常に一旦画像メモリに書き込みこの画像メモリをリアルタイムで更新しつつこれを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告媒体を容易に実現でき、しかも、前記画像メモリの領域は前記縦長ディスプレイの分割された画像表示領域に対応して分割され、この各領域において前記書き込んだ回転画像データをリアルタイムで更新する設定若しくは更新を停止する設定に変更し得るように構成した表示領域切り替え部により、例えば前記縦長ディスプレイの一の領域においてはリアルタイムで更新される動画表示可能な通常映像を表示すると共に、所定の他の領域即ち余白スペースにおいては前記リアルタイムで更新される映像の一場面を固定映像として表示でき、従来パソコンにより複数の映像ソースを用いて埋めていた余白スペースをパソコンの必要なく一つの映像ソースで有効に利用することができるから、極めて扱いやすくコスト安にポスター広告による絶大な広告効果を期待できることとなる極めて画期的で実用的な表示装置並びに表示装置を用いた広告方法を提供できることとなる。
【００８４】
また、請求項２〜５に記載の発明においては、一層秀れた広告効果を期待できるより一層実用性に秀れた表示装置となる。
【００８５】
また、請求項６に記載の発明においては、一層本発明を容易に実現できる一層実用性に秀れた表示装置となる。
【図面の簡単な説明】
【図１】  本実施例の概略説明ブロック図である。
【図２】  本実施例の概略説明ブロック図である。
【図３】  本実施例の使用状態を示す説明斜視図である。
【図４】  本実施例の縦長ディスプレイの画像表示領域を示す説明正面図である。
【図５】  本実施例の表示装置に入力されるコンテンツの説明正面図である。
【図６】  本実施例の使用状態を示す縦長ディスプレイの説明正面図である。
【図７】  本実施例の表示装置に入力されるコンテンツの説明正面図である。
【図８】  本実施例の使用状態を示す縦長ディスプレイの説明正面図である。
【図９】  本実施例の表示装置に入力されるコンテンツの説明正面図である。
【図１０】  本実施例の使用状態を示す縦長ディスプレイの説明正面図である。
【符号の説明】
１  映像送出装置
２  入力部
３  走査方式変換部
４  画像データ出力部
５  ９０度画像回転処理部
６  縦長ディスプレイ
７  更新領域切り替え部
８  量子化部
９  アナログ信号化部
【図１】
0003676345.tif 000002
【図２】
0003676345.tif 000003
【図３】
0003676345.tif 000004
【図４】
0003676345.tif 000005
【図５】
0003676345.tif 000006
【図６】
0003676345.tif 000007
【図７】
0003676345.tif 000008
【図８】
0003676345.tif 000009
【図９】
0003676345.tif 000010
【図１０】
0003676345.tif 000011